(57)【特許請求の範囲】
【請求項１】
空気を送風する送風ファンと、空気を加熱し温風とするため送風ダクト内に配置された温風ヒータと、前記送風ファンと前記温風ヒータを収納する本体ケースと、該本体ケースの前側面に配置され前記送風ダクトと連通した送風口と、前記本体ケースの前方に配置され内部が空洞化した便座と、該便座の後側面から挿入され、前記送風口からの温風を一端から流入させ、他端が前記便座の内表面とは非接触に突出する中空状の吹き出しダクトと、から構成され、前記吹き出しダクトの先端上面部を切り欠いたことを特徴とする暖房便座装置。
【請求項２】
空気を送風する送風ファンと、空気を加熱し温風とするため送風ダクト内に配置された温風ヒータと、前記送風ファンと前記温風ヒータを収納する本体ケースと、該本体ケースの前側面に配置され前記送風ダクトと連通した送風口と、前記本体ケースの前方に配置され内部が空洞化した便座と、該便座の後側面から挿入され、前記送風口からの温風を一端から流入させ、他端が前記便座の内表面とは非接触に突出する中空状の吹き出しダクトと、から構成され、前記便座の内部に位置する前記吹き出しダクトの先端部の開口形状を偏平の矩形状としたことを特徴とする暖房便座装置。
【請求項３】
前記吹き出しダクトの側面から前記開口部に向かう遮蔽板を前記便座内部に設けたことを特徴とする請求項１又は２に記載の暖房便座装置。
【請求項４】
前記送風口の開口形状は前記便座の外部に位置する吹き出しダクトの後端部の開口形状と略同一とし、且つ、前記送風口の開口部中心点と前記吹き出しダクトの開口部中心点の高さと横位置を略同一としたことを特徴とする請求項１乃至３のいずれか１項に記載の暖房便座装置。
【請求項５】
前記吹き出しダクトを前記便座の長手方向の延長線上に相当する後方部に複数配置すると共に、前記送風口も複数設け、この複数の送風口から前記便座の内部へ交互に温風を送風することを特徴とする請求項１乃至４いずれか１項に記載の暖房便座装置。
【請求項６】
前記便座の後方略中央部に排気口を設けたことを特徴とすることを特徴とする請求項５に記載の暖房便座装置。
【請求項７】
前記吹き出しダクトの通風路に前記便座の内部方向にのみ通風可能とする開閉板を配置したことを特徴とする請求項５又は６に項記載の暖房便座装置。
【請求項８】
複数配置された前記吹き出しダクトから前記便座の内部へ略同風量の温風を送風することを特徴とする請求項５乃至７のいずれか１項に記載の暖房便座装置。
【請求項９】
前記便座の先端部に排気口を設けたことを特徴とすることを特徴とする請求項１乃至４いずれか１項に記載の暖房便座装置。
【発明の詳細な説明】
【０００１】
【発明の属する技術分野】
本発明は、便座表面を暖める暖房便座装置に関する。
【従来の技術】
【０００２】
近年、便座表面を予め暖めておくことで冬場などの気温が低い時期でも使用者が快適に便座に着座し排便することができる暖房便座装置が広く普及している。
図１３に示すような本体ケース５ｚと回動自在のヒンジ１９にて接続され、中空構造にて形成された便座２ｚの内部に、チューブヒータや面状ヒータなど電圧（ＡＣ１００Ｖ）を印加することにより発熱する便座加熱手段１２を収納し、本体ケース５ｚ内部には便座加熱手段１２の発熱量を制御する制御部５ｚを備え、本体ケース５ｚと便座２ｚが電気コード１３による接続で取り外しが不可能な暖房便座装置１ｚが主流であるが、清掃性の向上を図るため特開平５−２３７０４７では、本体ケースと便座を回動可能に接続するヒンジの内部を中空構造とし、本体ケースからヒンジ内部を介して便座後方部から内部に温風を送風・循環して便座を暖める温風加熱式の暖房便座装置が提案されている。
【０００３】
【発明が解決しようとする課題】
しかしながら、便座後方部から内部に温風を送風し暖めようとした場合、便座後方部の空洞部は広がりが大きいためヒンジ部から吹き出す温風の風速が急激に低下し、開口部付近に相当する便座後方の表面が集中的に暖められ高温状態に至り、使用者が着座した時に臀部や大腿部が接触する便座の中央から先端側の表面温度をほとんど上昇させることができない。
【０００４】
本発明は、上記課題を解決するためになされたもので、便座内部に効率良く温風を送風して便座表面を暖める暖房便座装置を提供することを目的とする。
【０００５】
【課題を解決するための手段および作用・効果】
上記課題を解決する為、請求項１記載の発明は、空気を送風する送風ファンと、空気を加熱し温風とするため送風ダクト内に配置された温風ヒータと、前記送風ファンと前記温風ヒータを収納する本体ケースと、該本体ケースの前側面に配置され前記送風ダクトと連通した送風口と、前記本体ケースの前方に配置され内部が空洞化した便座と、該便座の後側面から挿入され、前記送風口からの温風を一端から流入させ、他端が前記便座の内表面とは非接触に突出する中空状の吹き出しダクトと、から構成され、前記吹き出しダクトの先端上面部を切り欠いたことを特徴とする暖房便座装置である。
【０００６】
便座の後側面に開口部を設けてそこから温風を送風しようとすると、便座後方の空洞部は広がりが大きいため温風の風速が急激に低下し、開口部付近に相当する便座後方の表面が集中的に暖められ高温状態に至り、使用者が着座した時に臀部や大腿部が接触する便座の中央から先端側の表面温度をほとんど上昇させることができない。そこで、便座の内表面とは非接触に突出する中空状の吹き出しダクトを便座の後側面から挿入・配置し、送風口から送風された温風を吹き出しダクトを介して便座の内部に送風することで、便座内部に送風される温風の風速が急激に低下することを抑制できる。特に、吹き出しダクトは便座の内表面とは非接触に突出しているため、送風口から吹き出しダクトに流入した温風の熱が便座の後部によって奪われることが防止できる。その結果、便座後方の熱の偏りを抑制し便座の中央から先端側を暖めることができる。従って、使用者が便座に着座した時に十分な暖房感が得られ、また、高温による火傷を防止できるため安全性が向上する。
前記便座の略中央部に排泄するため設けられた開口部の中心点を基準として前記開口部の長手方向、且つ前記開口部の奥方向の端面部の接線を境界線１とした時に、便座の内部に位置する吹き出しダクトの先端部を、境界線１と略同一、または境界線１より便座の先端方向側に配置した時、吹き出しダクトの先端上面部を切り欠くことにより、開口部端面より便座奥方向の表面も暖め使用者が着座する便座表面全体を暖めることができる。
【０００７】
請求項２記載の発明は、空気を送風する送風ファンと、空気を加熱し温風とするため送風ダクト内に配置された温風ヒータと、前記送風ファンと前記温風ヒータを収納する本体ケースと、該本体ケースの前側面に配置され前記送風ダクトと連通した送風口と、前記本体ケースの前方に配置され内部が空洞化した便座と、該便座の後側面から挿入され、前記送風口からの温風を一端から流入させ、他端が前記便座の内表面とは非接触に突出する中空状の吹き出しダクトと、から構成され、前記便座の内部に位置する前記吹き出しダクトの先端部の開口形状を偏平の矩形状としたことを特徴とする暖房便座装置である。
【０００８】
便座の後側面に開口部を設けてそこから温風を送風しようとすると、便座後方の空洞部は広がりが大きいため温風の風速が急激に低下し、開口部付近に相当する便座後方の表面が集中的に暖められ高温状態に至り、使用者が着座した時に臀部や大腿部が接触する便座の中央から先端側の表面温度をほとんど上昇させることができない。そこで、便座の内表面とは非接触に突出する中空状の吹き出しダクトを便座の後側面から挿入・配置し、送風口から送風された温風を吹き出しダクトを介して便座の内部に送風することで、便座内部に送風される温風の風速が急激に低下することを抑制できる。特に、吹き出しダクトは便座の内表面とは非接触に突出しているため、送風口から吹き出しダクトに流入した温風の熱が便座の後部によって奪われることが防止できる。その結果、便座後方の熱の偏りを抑制し便座の中央から先端側を暖めることができる。従って、使用者が便座に着座した時に十分な暖房感が得られ、また、高温による火傷を防止できるため安全性が向上する。
吹き出しダクト先端部の開口形状を決定する時、以下の点を考慮する必要がある。通常使用されているＯ型形状の便座は、便座奥（使用者が便座に着座した時に使用者の背後になる方向の便座端部を指す）から便座先端（使用者が便座に着座した時に使用者の正面になる方向の便座端部を指す）に向かって風路が狭くなるため、使用者が着座した時に臀部や大腿部が接触する便座の中央から先端側の表面を効率良く暖めようとすると、できるだけ風速を低下させないよう開口面積を小さくする必要がある。開口面積が大きすぎると、送風口から送風される温風の風量が少ない場合に、便座先端まで効率良く暖めることができない。また、吹き出しダクトから送風される温風の風速を上げて便座を暖めようとすると、便座先端がＵ字型をなしているため遠心力により温風の流れが便座外周面側に偏り、その結果、便座内周面が適温まで暖まらない。以上の点を考慮すると、吹き出しダクト先端部の開口形状は、広範囲に温風を送風でき、且つ風速を上げることができる偏平の矩形状が好ましい。従って、吹き出しダクト先端部の幅寸法をできるだけ広くし高さ寸法はできるだけ低くすることで、送風口から送風される温風の風量が少ない場合や短時間で便座を暖めたい場合でも、効率良く便座表面を暖めることができ、温度ムラを軽減することができる。
【０００９】
請求項３記載の発明は、前記吹き出しダクトの側面から前記開口部に向かう遮蔽板を前記便座内部に設けたことを特徴とする請求項１又は２に記載の暖房便座装置である。
吹き出しダクトから温風を送風し便座内部を循環させる時、吹き出しダクトの側面から開口部に向かう遮蔽板を便座内部に設けることにより、吹き出しダクトから送風される温風の送風方向が一旦便座内部を循環してきた温風に阻害されることがないため、所定の箇所を暖めることができる。
【００１０】
請求項４記載の発明は、前記送風口の開口形状は前記便座の外部に位置する吹き出しダクトの後端部の開口形状と略同一とし、且つ、前記送風口の開口部中心点と前記吹き出しダクトの開口部中心点の高さと横位置を略同一としたことを特徴とする請求項１乃至３のいずれか１項に記載の暖房便座装置である。
送風口の開口断面積をＳ１、便座外部に位置する吹き出しダクトの後端部の開口断面積をＳ２とした時、Ｓ１≦Ｓ２としても、形状が違いすぎると送風口から送風された温風が、吹き出しダクト外に漏れたり、非加熱状態の空気を巻き込むことになり、効率良く便座を暖めることができない。従って、吹き出しダクトの開口形状が矩形状としたら送風口の形状も矩形状として、吹き出しダクトの幅や高さと略同一にすることが好ましい。また、開口形状を略同一にしても、本体ケースに配置される送風口の高さと便座後方に配置される吹き出しダクトの高さや横位置が異なると、上記同様温風の流れが阻害され、効率よく便座の内部へ温風を送風することができない。従って、送風口の開口部の中心点と前記吹き出しダクトの開口部中心点の高さと横位置が略同一となるよう配置することが好ましい。かかる構成により、送風口と吹き出し口をホースなどの連結部材を用いて送風しなくても、本体ケースと便座が非接触の状態でも便座の内部に効率良く温風を送風し便座を暖めることができる。便座を前後に回動するヒンジを取り外すだけで、他に本体ケースと便座を連結する部材が要らないため、短時間で本体ケースから便座を取り外し、清掃することができる。
【００１１】
請求項５記載の発明は、前記吹き出しダクトを前記便座の長手方向の延長線上に相当する後方部に複数配置すると共に、前記送風口も複数設け、この複数の送風口から前記便座の内部へ交互に温風を送風することを特徴とする請求項１乃至４のいずれか１項に記載の暖房便座装置である。
ここでいう、便座の長手方向とは使用者が便座に着座した時に大腿部の向きと平行になる方向を指す。開口部の中心点を基準として便座の長手方向を左右に区分した時、例えば、便座右側の延長線上に相当する後方部にのみ吹き出しダクトを配置してそこから温風を送風した時、便座先端部で壁面に衝突し乱流になったり、便座内表面に接触した所から温風の熱が徐々に奪われるため、便座左側まで十分に暖めることができない。そこで、便座右側と便座左側の延長線上に相当する両後方部に吹き出しダクトを挿入・配置して、両方の吹き出しダクトから便座の先端方向に向けて交互に温風を送風する、例えば、まず便座右側の後方に配置した吹き出しダクトから便座内部に温風を取り入れ、便座左側の後方に配置した吹き出しダクトから便座に熱を奪われ低温化した温風を便座外部に排出する、次に便座左側の後方に配置した吹き出しダクトから温風を取り入れ、便座右側の後方に配置した吹き出しダクトから低温化した温風を便座外部に排出する、これを交互に繰り返すことにより、使用者が着座した時に主に臀部や大腿部が接触する便座の中央から先端側を効率良く、均一に暖めることができる。
【００１２】
請求項６記載の発明は、前記便座の後方略中央部に排気口を設けたことを特徴とすることを特徴とする請求項５記載の暖房便座装置である。
便座の後方略中央部に排気口を設けることにより、吹き出しダクトから送風され便座先端を経由した温風を便座後方部（境界線１より便座奥側）まで循環させることができる。従って、便座後方部の表面温度を先端部と同一温度まで均一に上昇させることはできなが、使用者が着座した時に冷やり感を感じない程度、例えば、便座の中央部から先端までの温度が３８℃前後とすると、ほとんど使用者の皮膚が接触することがない便座後方部は平均２０℃前後まで暖めることができる。このように、便座全体を均一に暖めなくても、使用者が着座する部分を重点的に暖めることにより十分な暖房感が得られ、消費電力を削減することができる。両方の吹き出しダクトから同時に略同風量の温風を吹き出すと、吹き出し口の先端部を便座先端方向に向けて便座先端側に温風を送風しようとしても、便座先端には温風が送風されず、略中央部に設けられた排気口に向かい温風の流れが変化する。便座表面を暖める時は、まず、吹き出しダクトから交互に温風を送風し便座中央から先端部を暖め、その後に略同風量の温風を吹き出しダクトから送風し便座後方部を暖めることが望ましい。
【００１３】
請求項７記載の発明は、前記吹き出しダクトの通風路に前記便座の内部方向にのみ通風可能とする開閉板を配置したことを特徴とする請求項５又は６に記載の暖房便座装置である。
便座後方に配置された複数の吹き出しダクトから交互に温風を便座内部に送風し便座後方の略中央部に設けられた排気口から外部へ送風する時、片側の吹き出しダクトからの風量をゼロにしてしまうと、そこから温風が漏れ排気口に向かう温風の流れが阻害され、便座後方部を適温まで暖めるのに消費電力が増加する。そこで、吹き出しダクトの通風路に便座の内部方向にのみ通風可能とする開閉板を配置することにより、片側の吹き出しダクトからのみ温風を送風し他側の吹き出しダクトからは温風を送風しない場合でも、片側の吹き出しダクトから送風された温風が他側の吹き出しダクトから外部に漏れることを防止でき、便座後方に設けられた排気口へと温風を確実に送風することができる。
【００１４】
請求項８記載の発明は、複数配置された前記吹き出しダクトから前記便座の内部へ略同風量の温風を送風することを特徴とする請求項５乃至７のいずれか１項に記載の暖房便座装置である。
両方の吹き出しダクトから同時に略同風量の温風を吹き出すと、吹き出し口の先端部を便座先端方向に向けて便座先端側に温風を送風しようとしても、便座先端には温風が送風されず、略中央部に設けられた排気口に向かい温風の流れが変化する。従って、使用者が着座した時に両吹き出しダクトから略同風量の温風を送風すると略中央部に設けられた排気口から人体露出部に向けて温風を送風することができる。排気口を使用者が着座時に塞ぐことのない便座表面側に設けることにより、外気に皮膚が露出した臀部や腰、背中に向けて温風を送風することができ、排気口を便器ボール面上部に位置する便座裏面側に設けることにより、臀部や局部を温めることができる。
【００１５】
請求項９記載の発明は、前記便座の先端部に排気口を設けたことを特徴とすることを特徴とする請求項１乃至４のいずれか１項に記載の暖房便座装置である。
便座先端部に排気口を設けることにより、吹き出しダクト先端部から便座の先端方向に向けて送風された温風が使用者の膝裏から足元に向けて温風を送風することができる。吹き出しダクトの先端部の延長線上に相当する便座先端部に排気口を設けることにより、直線的に温風を送風することでき温風の低温化を抑制して、より少ない消費電力にて人体暖房ができる。
【００１６】
【発明の実施形態】
以下、本発明にかかる暖房便座装置の実施の形態を、図面により詳細に説明する。
（第一実施形態）
図１は本発明の暖房便座装置１ａの第一実施形態を示す上面からみた透視図、図２は同、Ａ部拡大断面図、図３は同、タイミングチャートである。
図１に示す暖房便座装置１ａは、空気を送風する送風ファン６ａと、送風ファン６ａにより送風された空気を加熱し温風とするため送風ダクト１０ａ内に配置された温風ヒータ８ａと、送風ファン６ａの回転数と温風ヒータ８ａの発熱量を制御する制御部１１ａと、送風ファン６ａと温風ヒータ８ａと制御部１１ａを収納する本体ケース５ａと、本体ケース５ａの前側面に配置され送風ダクト１０ａと連通した送風口７ａ、７ｂと、本体ケース５ａの前方に配置され内部が空洞化した便座２ａと、から構成されている。
そして、本体ケース５ａ前側面に配置された送風口７ａ、７ｂを連通するよう送風ダクト１０ａが接続され、その通風路に送風ファン６ａ、温風ヒータ８ａが配置され、送風ファンの回転方向により送風口７ａまたは送風口７ｂから所定の温度まで温風ヒータ８ａにて加熱された温風が、便座２ａの長手方向の延長線上に相当する後方部の側面に配置された吹き出しダクト９ａ、９ｂを介して、便座２ａの内部へ送風される。
便座２ａ内部に位置する吹き出しダクト９ａ、９ｂの先端部は、便座２ａの略中央部に排泄するため設けられた開口部３ａの中心点を基準として開口部３ａの長手方向、且つ開口部３ａの奥方向の端面部の接線を境界線１とすると、境界線１より便座２ａの先端方向側に突出するよう配置している。なお、この吹き出しダクト９ａ，９ｂはその後端が便座２ａに固定されている他は便座２ａとは接触しておらず、便座２ａの内部に位置する吹き出しダクト９ａ、９ｂの周囲と便座２ａとの間には空気層が形成されており、従って、吹き出しダクト９ａ，９ｂの周囲が便座と接触している場合と比べて吹き出しダクト９ａ，９ｂを流れる温風の熱が便座に伝わり難くなり、便座２ａの先端を所定温度まで暖めようとすると便座２ａの後側が熱くなるといったことが防止できる。
このように、便座２ａ奥端から吹き出しダクト９ａ、９ｂの先端部までの長さをＬ１、便座２ａ奥端から境界線１までの長さをＬ２とすると、Ｌ１≧Ｌ２となるよう吹き出しダクトを配置することで、吹き出しダクト出口での圧力損失による風速の低下を抑制でき、便座２ａの先端方向に向かう温風の風量が多くなり、その結果、使用者が着座した時に臀部や大腿部が接触する便座２ａの中央から先端側の便座２ａ表面を効率良く上昇させることができる。
【００１７】
そして、便座２ａの内部に位置する吹き出しダクト９ａ、９ｂの先端部の幅寸法をＷ１、高さ寸法をＨ１とした時、Ｗ１をできるだけ広くし高さ寸法Ｈ１はできるだけ低くし偏平の矩形状とすることで、送風口から送風される温風の風量が少ない場合や短時間で便座を暖めたい場合でも、便座２ａ内表面との距離をかせぎ、広範囲に風速を上げて温風を便座内部へ送風することができるため、吹き出しダクト９ａ、９ｂの先端部上方に相当する便座２ａ表面への伝熱量を抑制できるので、効率良く便座表面を暖めることができ、温度ムラを軽減することができる。
【００１８】
また、便座の外部に位置する吹き出しダクト９ａ、９ｂの先端部も、上記同様、幅寸法Ｗ１、高さ寸法Ｈ１の矩形状とし、それに応じて、本体ケース５ａ前側面に配置された送風口７ａ、７ｂの開口形状も幅寸法Ｗ２、高さ寸法Ｈ２の矩形状とし、それぞれの長さはＷ１＝Ｗ２、Ｈ１＝Ｈ２とし、吹き出しダクト９ａ、９ｂと、それに対峙する送風口７ａ、７ｂの位置関係も、それぞれの中心点の高さと横位置が略同一になるよう便座２ａの後側面、本体ケース５ａの前側面に配置している。
従って、送風口７ａ、７ｂと吹き出しダクト９ａ、９ｂをそれぞれホースなどの連結部材を用いて送風しなくても温風の流れが阻害されず、便座の内部に効率良く温風を送風し便座を暖めることができる。
便座を前後に回動するヒンジを取り外すだけで、他に本体ケースと便座を連結する部材が要らないため、短時間で本体ケースから便座を取り外し、清掃することができる。
本実施例においては、吹き出しダクトの開口形状を偏平の矩形状としたが、他の形状として偏平の楕円形状や便座通風路形状に合せた偏平の蒲鉾形状などが考えられる。
【００１９】
図３に示すタイミングにて、吹き出しダクト９ａ、９ｂから便座２ａの内部に温風を交互に送風することで、使用者が着座した時に主に臀部や大腿部が接触する便座の中央から先端側を効率良く、均一に暖めることができる。
本実施例においては、正逆の両方向に回転する送風ファンを送風ダクト内に配置して複数の送風口から温風を送風しているが、正回転する送風ファンと逆回転する送風ファンを送風ダクト内に配置して送風方向に応じて各送風ファンを回転させても良いし、高温の温風を送風口から送風させたい場合、正逆の両方向に回転する送風ファンを挟むように複数の温風ヒータを送風ダクト内に配置して送風方向に応じて各温風ヒータを発熱させても良い。
このように、便座後方の側面に複数の吹き出しダクトを配置し、片側の吹き出しダクトから温風を取り入れている時、他側の吹き出しダクトから低温化した温風を排出させ、且つ、本体ケースを介して温風を循環させる構造を取ることにより、便座に専用の排気口を設ける必要がなく熱交換効率を上げることができる。
【００２０】
吹き出しダクトから送風される温風の風温を高くして便座を暖めようとすると、吹き出しダクトおよび吹き出しダクトと接する便座部分の構成材料に耐熱性が要求され、また機器等が破損した時使用者に熱風が送風され火傷する危険性があるため、安全性を考慮すると５０〜７０℃程度の温風を、広範囲にバランス良く風速を上げて送風することが好ましい。
そして、吹き出しダクトの形成材料を便座の形成材料と同じにすることで、一体成形でき組立てが簡素化できるため生産性が向上する。
【００２１】
使用者の着座分布を考慮すると、便座内周面側から外周面側に向けて吹き出しダクトの開口形状の高さ方向を変えて送風口から送風される温風の風量を場所ごとに変えることにより、例えば、便座内周面側から便座外周面側の高さを低くすることにより、便座内周面側をより暖めることもできる。
吹き出しダクトの先端から送風される風量を場所毎に変える別の手段としては、便座の内部に位置した吹き出しダクトの先端部内面に複数の風向指示板を垂直に配置し、その風向指示板の間隔を便座内周面側から便座外周面側にかけて徐々に増加減させる方法が挙げられる。
【００２２】
（第二実施例）
図４に示すように、便座２ａの外部に位置し、送風口７ａに対向する吹き出しダクト９ｇの後端部にテーパーを設けることにより、送風口７ａと吹き出しダクト９ｇの位置が多少ずれたとしても、送風口７ａから送風された温風を確実に便座２ａ内部に送風することができる。
また、吹き出しダクト９ｇの底面に断熱板１６を配置して、便座２ａ下面と断熱板１６の間に空気層を設けることにより便座２ａ下面からの放熱を抑制することができるため、使用者が着座する便座２ａ上面を効率よく暖められ経済性が向上する。
本実施例においては、断熱板を吹き出しダクトの底面に配置しているが、断熱板が吹き出しダクトの底面になるよう配置しても同様の効果を得ることができ、また、吹き出しダクトを十分に固定することができる。
【００２３】
（第三実施例）
図５に示すように、送風口７ｅを吹き出しダクト９ａの内面まで突出させることにより、送風口７ｅから温風の風速を下げずに便座２ａの内部へ送風することができ、且つ、便座２ａの位置を固定することもできる。
そして、送風口７ｅに上下へ回動するヒンジ機構（図示せず）を設けることにより、便座を立てて男子が小便する際、送風口７ｅから本体ケース５ａ内部および吹き出しダクト９ａから便座２ａ内部に小便が侵入することを防止できるため衛生的である。
本実施例においては、送風口を吹き出しダクトの内面まで突出させているが、吹き出しダクトを送風口の内面まで突出させても同様の効果を得ることができる。
【００２４】
（第二実施形態）
図６は本発明の暖房便座装置１ｂの第二実施形態を示す上面からみた透視図、図７は同、Ｂ部拡大断面図、図８は同、タイミングチャートである。
図６に示す暖房便座装置１ｂは、空気を送風する送風ファン６ｂと、送風ファン６ｂにより送風された空気を加熱し温風とするため送風ダクト１０ｂ内に配置された温風ヒータ８ｂと、Ｙ字型に形成された送風ダクト１０ｂの左右方向に送風される温風の風量をダンパーの位置により切り替える風量切替弁１７と、送風ファン６ｂの回転数と温風ヒータ８ｂの発熱量、風量切替弁１７のダンパー位置を制御する制御部１１ｂと、送風ファン６ｂと温風ヒータ８ｂと制御部１１ｂを収納する本体ケース５ｂと、本体ケース５ｂの前側面に配置され送風ダクト１０ｂの左右方向に分岐した通風路と連通した送風口７ｃ、７ｄと、本体ケース５ｂの前方に配置され内部が空洞化した便座２ｂと、便座２ｂの後側面から挿入され、送風口７ｃ、７ｄからの温風を一端から流入させ、他端が便座２ｂの内表面とは非接触に突出する中空状の吹き出しダクトと、から構成されている。
そして、送風ファン６ｂから送風され所定の温度まで温風ヒータ８ｂにて加熱された温風は、温風ヒータ８ｂの下段に位置する送風ダクト１０ｂの一部に配置された風量切替弁１７により、所定の時間間隔にて送風ダクト１０ｂの左右方向送風される風量比率を変えて、本体ケース５ｂ前側面に配置された送風口７ｃ、７ｄから風量比率が異なる温風を送風し、送風口７ｃ、７ｄがら送風された温風が、便座２ｂの長手方向の延長線上に相当する後方部の側面に配置された吹き出しダクト９ｃ、９ｄを介して、便座２ｂの内部へ送風され、便座２ｂの後方略中央部に設けた排気口１４ａより排気される。
便座２ｂ内部に位置する吹き出しダクト９ｃ、９ｄの先端部は、前記第一実施形態と同様、便座２ｂに配置され、便座２ｂ内部に位置する吹き出しダクト９ｃ、９ｄの先端には、便座２ｂの内部方向にのみ通風可能とする開閉板１５ａ、１５ｂを配置している。なお、この吹き出しダクト９ａ，９ｂは前記第一実施形態と同じくその後端が便座２ａに固定されている他は便座２ａとは接触しておらず、便座２ａの内部に位置する吹き出しダクト９ａ、９ｂの周囲と便座２ａとの間には空気層が形成されており、従って、吹き出しダクト９ａ，９ｂの周囲が便座と接触している場合と比べて吹き出しダクト９ａ，９ｂを流れる温風の熱が便座に伝わり難くなり、便座２ａの先端を所定温度まで暖めようとすると便座２ａの後側が熱くなるといったことが防止できる。
開閉板１５ａ、１５ｂは、吹き出しダクト９ｃ、９ｄの先端部の外形形状と略同一形状にて形成され、吹き出しダクト９ｃ、９ｄの先端上部にヒンジを介して接続され、所定風量以上の温風が、送風口７ｃ、７ｄから送風されることにより、便座２ｂの先端方向にのみ開閉する構造となっている。
【００２５】
便座２ｂの後方略中央部に排気口１４ａを設けることにより、吹き出しダクト９ｃ、９ｄから送風され便座２ｂ先端を経由した温風を便座２ｂの後方部まで循環させることができる。
両方の吹き出しダクト９ｃ、９ｄから同時に略同風量の温風を吹き出すと、吹き出しダクト９ｃ、９ｄの先端部を便座２ｂの先端方向に向けて便座２ｂの先端側に温風を送風しようとしても、便座２ｂの先端には温風が送風されず、略中央部に設けられた排気口１４ａに向かい温風の流れが変化する。
この時、便座後方の表面温度を均一にすることはできないが便座内周側を中心に暖めることができるため、使用者が着座した時に冷やり感を感じることはない。
従って、便座２ｂの表面を暖める時は、図８に示すように、まず、風量切替弁１７のダンパー位置を制御し吹き出しダクト９ｃ、９ｄから風量比率が大きく異なる温風を交互に送風し便座２ｂの中央から先端部を暖め（ｔ２期間）、その後、徐々にその風量比率を同じにしていき便座２ｂの後方部を暖める（ｔ３期間）ことが望ましい。
その結果、便座２ｂの後方部の表面温度を先端部と同一温度まで均一に上昇させることはできなが、使用者が着座した時に冷やり感を感じない程度、例えば、トイレ内の室温が５℃の時、便座２ｂの中央部から先端までの温度が３８℃前後とすると、ほとんど使用者の皮膚が接触することがない便座２ｂの後方部は平均で２０℃前後までめることができる。
このように、便座全体を均一に暖めなくても、使用者が着座する部分を重点的に暖めることにより十分な暖房感が得られ、消費電力を削減することができる。
また、送風初期（ｔ１期間）は、温風ヒータ８ｂに電力が投入されてから所定の温度まで加熱されるまでに時間を要するため、所定温度の温風が便座２ｂ内部に送風されない。
そこで、温風ヒータ８ｂへの投入電力および立ち上がり特性に応じて送風時間を延長することで、便座２ｂの左右表面を均一に暖めていくことができる。
そして、便座２ｂへの温風の送風を停止する時は、温風ヒータ８ｂの電圧印加を遮断した後、送風ファン６ｂを停止し、温風ヒータ８ｂの破壊、劣化、送風ダクト１０ｂの溶融や発火を防止することが望ましい。
【００２６】
便座２ｂの内部に位置する吹き出しダクト９ｃ、９ｄの先端部に便座２ｂの内部方向にのみ通風可能とする開閉板１５ａ、１５ｂを配置しているため、吹き出しダクト９ｃからのみ温風を送風し吹き出しダクト９ｄからは温風を送風しない場合でも、吹き出しダクト９ｃから送風された温風が吹き出しダクト９ｄから外部に漏れることを防止でき、便座２ｂの後方に設けられた排気口１４ａへと温風を確実に送風することができる。
また、送風口７ｃ、７ｄの先端に開閉板１５ｃ、１５ｄを設けることにより、便座２ｂを立てて男子が小便する際、送風口７ｃ、７ｄから本体ケース５ｂ内部に小便が侵入することを防止できるため衛生的である。
【００２７】
また、使用者が便座２ｂに着座した時に両吹き出しダクト９ｃ、９ｄから、図８に示すように略同風量の温風を送風する（ｔ４期間）と、略中央部に設けられた排気口１４ａから人体露出部に向けて温風を送風することができる。
排気口を使用者が着座時に塞ぐことのない便座の表面側に設けることにより、外気に皮膚が露出した腰や背中に向けて温風を送風することができ、排気口を便器ボール面上部に位置する便座裏面側に設けることにより、臀部を温めることができる。
【００２８】
（第三実施形態）
図９は本発明の暖房便座装置１ｃの第三実施形態を示す上面図、図１０は同、Ｃ部拡大断面図である。
尚、前記第二実施形態と同様に、本体ケース５ｃ内部に構成した部材およびその構成については詳細説明を省略する。
図９に示す暖房便座装置１ｃは、便座２ｃの後方側面に複数の吹き出しダクト９ｅ、９ｆを挿入・配置し、各吹き出しダクト９ｅ、９ｆの先端部の延長線上に相当する便座２ｃ先端部に排気口１４ｂ、１４ｃを設けている。
従って、吹き出しダクト９ｅ、９ｆから排気口１４ｂ、１４ｃに向かい直線的に温風を送風することで温風の低温化を抑制し、使用者が便座２ｃに着座した時、より少ない消費電力にて膝裏から足元に向けて温風を送風し暖めることができる。
排気口は１４ｂ、１４ｃは、吹き出しダクト９ｅ、９ｆから送風された温風が使用者の膝裏から足元に向けて送風されるように、便座２ｃの下面から側面下部にかけて開口することが望ましい。
【００２９】
（第四実施形態）
図１１は本発明の暖房便座装置１ｄの第四実施形態を示す上面からみた透視図、図１２は同、Ｄ部拡大断面図である。
図１１に示す暖房便座装置１ｈは、空気を送風する送風ファン６ｈと、送風ファン６ｈにより送風された空気を加熱し温風とするため送風ダクト１０ｈ内に配置された温風ヒータ８ｈと、送風ファン６ｈの回転数と温風ヒータ８ｈの発熱量を制御する制御部１１ｈと、送風ファン６ｈと温風ヒータ８ｈと制御部１１ｈを収納する本体ケース５ｈと、本体ケース５ｈの前側面に配置され送風ダクト１０ｈと連通した送風口７ｈと、本体ケース５ｈの前方に配置され内部が空洞化した便座２ｈと、から構成されている。
そして、本体ケース５ｈ前側面に配置された送風口７ｈを連通するよう送風ダクト１０ｈが接続され、その通風路に送風ファン６ｈ、温風ヒータ８ｈが配置され、送風ファンの回転方向により送風口７ｈから所定の温度まで温風ヒータ８ｈにて加熱された温風が、便座２ｈの長手方向の延長線上に相当する後方部の側面に配置された吹き出しダクト９ｈを介して、便座２ｈの内部へ送風される。
そして、吹き出しダクト９ｈから送風された温風が便座２ｈ内部を循環して他側の便座２ｈ後側面に設けられた排気口１４ｈから排気される。
便座２ｈ内部に位置する吹き出しダクト９ｈの先端部は、便座２ｈの略中央部に排泄するため設けられた開口部３ｈの中心点を基準として開口部３ｈの長手方向、且つ開口部３ｈの奥方向の端面部の接線を境界線１とすると、境界線１より便座２ｈの先端方向側に突出するよう配置され、且つ先端上面部が切り欠かれている。なお、この吹き出しダクト９ｈはその後端が便座２ｈに固定され、便座２ｈ内表面と点または線接触し吹き出しダクト９ｈが安定保持される程度の支柱２０ａ、２０ｂが吹き出しダクト９ｈの上下側面にそれぞれ配置され便座２ｈと接触している他は便座２ｈとは接触しておらず、便座２ｈの内部に位置する吹き出しダクト９ｈの周囲と便座２ｈとの間には空気層が形成されており、従って、吹き出しダクト９ｈの周囲が便座と接触している場合と比べて吹き出しダクト９ｈを流れる温風の熱が便座に伝わり難くなり、便座２ｈの先端を所定温度まで暖めようとすると便座２ｈの後側が熱くなるといったことが防止できる。
このように、便座２ｈの内部に位置する吹き出しダクト９ｈの先端部を、境界線１と略同一、または境界線１より便座２ｈの先端方向側に配置した時、吹き出しダクト９ｈの先端上面部を切り欠くことにより、開口部端面より便座２ｈ奥方向の表面も暖めることができる。
そして、吹き出しダクト９ｈから送風される温風の方向が、吹き出しダクト９ｈの左右側面にて規制され左右方向への拡散が抑制されるため便座２ｈの先端方向に向かう温風の風量も確保することができ、その結果、使用者が着座する便座２ｈ表面全体を暖めることができる。
また、便座２ｈの片側後方から温風を送風し他側の便座２ｈ後方から便座２ｈの内部に送風された温風を排気する構成にて便座を暖める時、吹き出しダクト９ｈの側面から開口部に向かう遮蔽板１８を便座２ｈ内部に設けることにより、排気口１４ｈから排気されずに便座２ｈ内部を循環する温風により吹き出しダクト９ｈから送風される温風の送風方向を阻害されず所定の箇所を暖めることができる。
【００３０】
以上、本発明の実施例について説明したが、本発明は上記の実施例や実施形態になんら限定されるものではなく、本発明の要旨を逸脱しない範囲において種々なる態様で実施し得ることは勿論である。
本実施例においては、吹き出しダクトの通風路断面形状を同じにしたが、便座内部に向かい狭くしてさらに風速を上げることもできるし、Ｙ字型に形成された吹き出しダクトを左右方向に分岐した先端部が便座内部に位置するよう便座後側面の略中央部に配置する、など様々な形態が考えられる。
【図面の簡単な説明】
【図１】  本発明にかかる暖房便座装置の第一実施形態を示す、上面からみた透視図である。
【図２】  同、Ａ部拡大断面図である。
【図３】  同、タイミングチャートである。
【図４】  同、第二実施例に記載の断面図である。
【図５】  同、第三実施例に記載の断面図である
【図６】  本発明にかかる暖房便座装置の第二実施形態を示す、上面からみた透視図である。
【図７】  同、Ｂ部拡大断面図である。
【図８】  同、タイミングチャートである。
【図９】  本発明にかかる暖房便座装置の第三実施形態を示す、上面図である。
【図１０】  同、Ｃ部拡大断面図である。
【図１１】  本発明にかかる暖房便座装置の第四実施形態を示す、上面からみた透視図である。
【図１２】  同、Ｄ部拡大断面図である。
【図１３】  従来技術記載の暖房便座装置を示す、上面図である。
【符号の説明】
１（１ａ、１ｂ、１ｃ、１ｈ、１ｚ）：暖房便座装置、
２（２ａ、２ｂ、２ｃ、２ｈ、２ｚ）：便座、
３（３ａ、３ｂ、３ｈ）：開口部、４：中心点、
５（５ａ、５ｂ、５ｃ、５ｈ、５ｚ）：本体ケース、
６（６ａ、６ｂ、６ｈ）：送風ファン、
７（７ａ、７ｂ、７ｃ、７ｄ、７ｅ、７ｈ）：送風口、
８（８ａ、８ｂ、８ｈ）：温風ヒータ、
９（９ａ、９ｂ、９ｃ、９ｄ、９ｅ、９ｆ、９ｇ、９ｈ）：吹き出しダクト、
１０（１０ａ、１０ｂ、１０ｈ）：送風ダクト、
１１（１１ａ、１１ｂ、１１ｈ、１１ｚ）：制御部
１２：便座加熱手段
１３：電気コード
１４（１４ａ、１４ｂ、１４ｃ、１４ｈ）：排気口
１５（１５ａ、１５ｂ、１５ｃ、１５ｄ）：開閉板
１６：断熱板
１７：風量切替弁
１８：遮蔽板
１９：ヒンジ
２０（２０ａ、２０ｂ）：支柱
【図１】
0004099820.tif 000002
【図２】
0004099820.tif 000003
【図３】
0004099820.tif 000004
【図４】
0004099820.tif 000005
【図５】
0004099820.tif 000006
【図６】
0004099820.tif 000007
【図７】
0004099820.tif 000008
【図８】
0004099820.tif 000009
【図９】
0004099820.tif 000010
【図１０】
0004099820.tif 000011
【図１１】
0004099820.tif 000012
【図１２】
0004099820.tif 000013
【図１３】
0004099820.tif 000014